Podtech/llm-jp-corpus-v4-ja_patent huggingface dataset:
(57)【要約】      （修正有）【課題】内燃機関の運動稼動による熱、振動時間が経過しても燃焼効率の改善を持続させる。【解決手段】吸気経路に配置される機能部インテーク端子機能部と直列に配線された共振装置部を備え、機能部が右巻きに１つの銅のコイル２に２枚の銅板１を付け、銅板１の裏面に紙を貼り、その上にアルミを貼り、赤と青のLED３をつなぎ、LED３の一方にリード線をつけ、もう一方を銅板１に付け、もう一方の銅板にリード線をつける。【選択図】図１
2011241684.tif 000002
【特許請求の範囲】
【請求項１】
石油系燃料の燃焼で稼働する機械の吸気経路に配置される機能部インテーク端子機能
部と直列に配線された共振装置部を備え、前記機能部が右巻きに１つの銅のコイ
ルに２枚の銅板を付け、銅板の裏面に紙を貼り、その上にアルミを貼り、赤と青のLED
をつなぎ、LEDの一方にリード線をつけ、もう一方を銅板に付け、もう一方の銅板に
リード線をつけた内燃機関燃焼効率改善装置。
【請求項２】
前記赤色IED及び青色LEDは互いに平行に配置したのを特徴とする請求項目１記載の
燃焼補助装置。
【請求項３】
前記電流変化装置を構成する前記銅板を長方形とし、前記銅板の角隅部に前記接合部
を設けたことを特徴とする請求１または請求項１または２記載の燃焼補助装置。
【発明の詳細な説明】
【技術分野】
【０００１】
本発明は、ガソリンエンジン、ディゼルエンジン、などの内燃機関あるいは石油ボイ
ラやガスボイラなど、石油系の燃料の燃焼で稼働する機械に装着して使用される燃料
補助装置にかんする。
【背景技術】
【０００２】
従来、磁気や鉱石のセラミックなどで、燃料や空気の活性化を図るものであった。
【非特許文献１】Newton  「光とは何か？」「イオン決定版」「周期表」
【発明の開示】
【発明が解決しようとする課題】
【０００３】
磁石やセラミックによる内燃機関の燃焼効率向上を目的にしたものは、内燃機関の運
動稼動による熱、振動や時間の経過とともに機能の低下が起こるという不都合を解決
することを課題とする。
【課題を解決するための手段】
【０００４】
本発明は、前記インテーク端子機能部、と直列に配線された電流変化装置を備え、
前記インテーク端子は、コイルに付けた２枚銅板と、片方に取り付けたLEDランプ
を有し前記電流変化装置が銅板の片面の外周領域の一部に片端部を接合した状態で
配備された複数の銅線コイルと、前記銅線コイルの他端部にそれぞれ片面の外周領域
の一部を接合した状態で配備された銅板と、前記銅線コイルと前記銅板との接合部に
一方の端部のみを接合した状態で、起立状に配備された先端に５ｍｍ平方ミリをつけ
た銅線コイルと、前記片面の裏側に位置する前記銅板の他面に絶縁材を介して粘着したアルミニウム泊と、を有することを特徴とする。
ここでのLEDは発光ダイオードのことである。
また、電気回路であるために常に電子交換を行うことができる。
【発明の効果】
【０００５】
車に取り付けると、トルクのＵＰ、ＭＡＸ回転数のＵＰ、排気ガスの減少、そして
燃費削減の効果が現れた。
【発明を実施するための最良の形態】
【０００６】
右巻きに８〜１６巻きした直径２〜５mmの１つの銅のコイルにアンテナの役割
をする１８mm×２９mmの銅板２枚をハンダ付けする。
銅板の裏面に絶縁紙を貼りその上に方向性を示すためにアルミを銅板と接触しない
ように貼る。
光電効果を起こさせるために赤と青のLEDを直列にハンダでつなぎ、LEDのマイナ
ス側にリード線をハンダ付けし、LEDのプラス側を一方の銅板のコイルと銅板を付け
たところの対角にハンダ付ける。
もう一方の銅板には、抵抗とヒューズを付けたリード線をコイルと銅板をハンダ付け
したところの対角にハンダで付ける。
また、空気取り入れ口に取り付けるので、ジヨイントシートとスリーシートパッキン
を組み合わせした素材を土台にして、コイルと銅板とリード線を固定する。
【０００７】
これらの装置の材料である銅は電子の流れやすさから純度の高いものがよい。
また、LEDは高輝度のものがよい。
ここで使用のLEDランプは光電効果の為なので、高輝度で３０度の発光の赤と青色
が好ましい
【実施例１】
【０００８】
【表１】
2011241684.tif 000003
【０００９】
上記に示すように、燃焼効率を向上させる効果がある。
【００１０】
石油系燃料の燃焼で稼働する機械の吸気経路に前記機能部を配備し、直列に配線され
た前記機能部及び前記共振装置部に直流電流をながすと、機能部を構成するLEDラン
プが発光され、赤と青のミックスの色、紫で光電効果があらわれ、インテーク端子機
能部の銅板から電子が飛び出す。
又前記機能部の電流変化装置部を通過した電流は振動電流に変換され、その電流が、
前記機能部インテーク端子部の銅板をながれる際に、銅板の電子の振動が加速され、
その加速された銅板の電子の表面を空気が通過すれば、その空気の原子の電子が共振共鳴で加速されます。
よってこの空気及び光電効果によって飛び出した電子が燃料に接触すれば、燃料の分
子の電子が加速され分子が細分化され燃焼度がアップした結果、完全燃焼に近い状態
になり従来の技術より燃焼効率を大幅に向上させることが出来る。
【００１１】
一方前記インテーク端子機能部の銅板は長方形とし、前記銅板の片隅部に前記接合部を
設ければ、前記銅板の周辺よりの領域に電流が流れる状態になるので、銅板内の電子が
まんべんなく活用でき機能の向上につながります。
【００１２】
この技術の最大の特徴は、前記インテーク端子機能部と前記電流変化装置機能部に使用
する銅板はタフピッチを使用することで、全体的な技術向上につながり燃焼アップの向上に大いに貢献し完全燃焼に近い状態になります。
【００１３】
本発明により従来よりも燃焼効率が大幅に向上させることができます。
【産業上の利用可能性】
【００１４】
本発明に係わる内燃機関燃焼効率改善装置は、石油の高騰を受ける中で、
車だけでなく、船舶やボイラーにおいても取り付けることが可能であるため、
産業上の利用可能性を有する。
【図面の簡単な説明】
【００１５】
【図１】本発明の内燃機関燃焼効率改善装置の正面図である。
【図２】本発明の図１の１０電流振動装置の正面図である。
【図３】本発明の図２の一部分の斜視図である。
【図４】本発明の空気取り入れ部に取り付ける端子の正面図である。
【符号の説明】
【００１６】
１    銅板
２    コイル
３    LED
４    点滅LED
５    レジスター
６    ヒューズ
７    ポリプロピレン又はスリーシートパッキン
８    バッテリーのプラスに接続
９    ボディーに接続
１０  図２をABSのボックスに入れた電流振動装置
１１  銅板コイルアンテナ
１２  銅板アンテナ
１３  図１の１０の３側のリード線
１４  絶縁
１５  アルミ
１６  トタン
１７  図１の１，２，３，７の部分
【図１】
2011241684.tif 000004
【図２】
2011241684.tif 000005
【図３】
2011241684.tif 000006
【図４】
2011241684.tif 000007
(57)【要約】【課題】          プールで背の高さの違い，泳ぎの熟達の違いに応じて、またはアクアウォーキングやエクササイズの利用もふまえて、それぞれが程よい深さのコースを使用出来るように、様々な水深のコースを段階的に設けた「段階水深プール」を提供する。【解決手段】      プールの両端が一番浅く、中央が一番深くなるように水底を作り，分割したコース毎に左右の端から中央に向かって段々深くなるように水深を設定し、それぞれのコースの幅の中では水底が平らにできるように、コースの切り替えラインで傾斜を設けた「段階水深プール」を特徴とする。【選択図】図１
2011241678.tif 000002
【特許請求の範囲】
【請求項１】
使用するプールのコース毎にそれぞれ違った水深を設定し、切り替え部分に斜面による急勾配を設けてコースを振り分け、それぞれが異なった水深で，スタートからゴールまでが極めて平坦なコースを設けた、段階水深プール。
【発明の詳細な説明】
【技術分野】
【０００１】  この発明は、コース毎に違った水深を設けた「段階水深プール」に関するものである。
【背景技術】
【０００２】  従来，プールの底は、水はけ等の都合により、プールサイドに近い方から中央に向かって緩やかに勾配をつけてだんだん深くなっているものが大半だった。
ウォーキングやアクアエクササイズで使う際や、子供が使う際に、赤台という台をプールの底に入れて底上げする技術もあるが、その度に人手と時間が必要でなかなか面倒であり、またプラスチックの台である以上，やや安定性や堅牢性に欠ける面があり，足元が水底で定まらずに揺れたりする不具合もあった。
可動式で、水深を変えられる技術も開発されているが，コスト面や実装面でやや難があり，普及しているとは言い難かった。
【発明の概要】
【発明が解決しようとする課題】
【０００４】  これには、次のような欠点があった。
普通のプールの水深は、中央当たりが深くなっているのが通例で、これだとウォーキングの際に、途中の深いところに差し掛かると、深い水深の浮力で身体が浮き上がってしまい，水底を足で蹴ることができずに歩き辛かった。
泳ぐ際の問題はもっと深刻で、中央当たりで疲れて泳ぐのを止めようと思っても、立てない水深では、途中で止めることも出来ず、こういった場合に溺れそうになる人も多かった。
さらに、学校などで背の低い人と高い人が同じプールを使うと、足が立たない人が出ることもあり、それが泳げない人にとては非常な困難となっていた。
年少者の場合はそれが顕著で、大人と子供が同じプールで泳ぐことは、難しかった。
【課題を解決するための手段】
【０００５】  以下，本発明を実施するための形態について説明する。
プールのコースを取った方向（主に縦であることが多い）に、区分を設けて、原則（注１）その左右の両端のコース（１）から、中央（２）に近いコースに行くにしたがって、水深が段々深くなるように、プールの底を作る。
コース毎の区切りのラインに、ややなだらかな傾斜を設け，そこ（３）で水底の高さを切り替えて棚田のようにし、同じコースでは極力水深が変わらないように、スタート地点からゴール地点までをなるべく平らに仕上げる。
本発明は、以上の構成からなる段階水深プールである。
（注１）これ以外にも変則的な方法は考えられる。
【発明の効果】
【０００６】  コース毎にそれぞれの水深が違う作りになっているので，背の低い人や泳ぎの苦手な人は両端（１）、背の高い人や泳ぎの得意な人は中央（２）というように、コースの割り振りが可能になり，多くの人が、それぞれ程よい水深のコースで同時にプールを利用出来るようになった。
また、ウォーキングで使う際には、コースの最初から最後まで、ほとんど同じ水深になるため，コースを通して歩きやすく、浮き上がって歩けないが故、途中で折り返したりせずに済むようになった。
【図面の簡単な説明】
【０００７】
【図１】  本発明の鳥瞰断面図である。
【発明を実施するための形態】
【０００８】  以下，本発明を実施するための形態について説明する。
まず、プールに取ったコースの両端を一番浅く，中央付近を一番深く設定する。
そして、両端からコース毎に、それぞれ設定した深さの平らなプールの底にし、コースの切り替え部分（３）で、傾斜を取り，棚田のようにする。
工事の際は、コンクリート打設時に、出した生のコンクリートの上に、棚田のような折れ板をかぶせて、前述したような形にするか，もしくは平らにコンクリートを打った後，設計したコースの切り替え部（３）に、設定した水底の形に合わせた仕切りの型枠を設けて、一段づつ盛り上げるように浅い水深の水底を作っていくことも可能である。
初めからこうした設計で、新築する際に作るのが望ましいが，既存のプールをリフォームして、段階水深を設けることも可能である。
前述した、真ん中を深くする方法が一番無難と思われるが、これ以外にも左右どちらかを高く、他の一方を低くする等、変則的な方法も可能である。
この場合にも、ウオーキングやエクササイズに配慮するならば，コースの初めから最後までを、なるべくフラットにするのが望ましい。
これを使用するときは、泳ぎの苦手な人や背の低い人が両端，泳ぎの得意な人や背の高い人が中央というように、それぞれ程よい水深のコースを選んで、泳いだり歩いたりすればよい。
こうしたメリットから，この段階水深プールは、水泳の熟達度が違う生徒、背の高さが極端に違う生徒が多数混在する小中学校のプールや，エクササイズと水泳のどちらも使うフィットネスジムのプールなどに最適である。
【符号の説明】
【０００９】１    プール最浅部
２    プール最深部
３    コース切り替え部
【図１】
2011241678.tif 000003
(57)【要約】【課題】建設現場での足場は枠組足場（ビテ足場）が使用されているが、経年劣化に依り筋交ロック用の爪が脱落して筋交が外れて非常に危険な状態になっている状況があるが、枠自体が高価なため即交換出来る状況になく、紐、結束線、番線等で結束して相応の措置を講じて使用しているが足場の信頼性、安全性に乏しいい上、解体時には紐、結束線、番線等を切断せねばならず、切断した紐、結束線、番線等は再使用不能なためゴミ、金属廃棄物として廃棄処分している。【解決手段】そこで本発明は、図３に示すようにプレート、ワイヤー、ボルト、蝶ナットで自在金属紐を構成して筋交をビテ主脚に緊結して上記課題を解決する。この方法に依れば、ゴミ、金属廃棄物が発生しない上、足場の信頼安全性も向上する。又構成部材全てをステンレスにする事により、錆などが発生せず工具無しで着脱が可能なうえ繰返し使用、半永久的に使用可能なため経費節減も図れる。【選択図】図３
2011241666.tif 000002
【特許請求の範囲】
【請求項１】
ワイヤーとプレート、ボルト、蝶ナットを併用して自在金属紐を構成した枠組足場（ビテ足場）用の筋交固定具。
【発明の詳細な説明】
【技術分野】
【０００１】本発明は枠組足場（ビテ足場）の筋交の固定具に関するものである。
【背景技術】
【０００２】枠組足場（ビテ足場）の筋交の離脱防止は筋交ガイドピンに装着された爪に依り機能しているが経年劣化によりこの爪が脱落して筋交が外れて非常に危険な状態になっている場合がある。
【発明の概要】
【発明が解決しようとする課題】
【０００３】爪が脱落して筋交が外れて危険な状態になっても枠自体高価なため即取替する事は困難なため、紐、結束線、番線等で結束して必要な措置を講じて使用しているが、足場の信頼安全性に乏しいうえ、解体時には、紐、結束線、番線等を切断せねばならず、切断した紐、結束線、番線等は再使用不能なため、ゴミ、金属廃棄物として廃棄処分している。
【課題を解決させるための手段】
【０００４】そこで本発明は、プレート、ワイヤー、ボルト、蝶ナットを併用した自在金属紐を構成して上記課題を解決する。
【発明の効果】
【０００５】足場の信頼安全性が向上する。
工具なしで着脱が可能である。
ゴミ、金属廃棄物量を削減出来る。
【図面の簡単な説明】
【０００６】
【図１】本発明の構成図
【図２】同じく、正面図
【図３】同じく、平面図
【発明を実施するための形態】
【０００７】本発明は、図１に示すようにプレート、ワイヤー、ボルト、蝶ナットを併用して自在金属紐を構成する。
【実施例】
【０００８】プレートを筋交ガイドピンに挿入してワイヤーをビテ主脚側へ捲き込み、ボルトをプレート横溝へ掛けて蝶ナットを廻し込み筋交をビテ主脚へ緊結する。
【符号の説明】
【０００９】１      ビテ主脚
２      筋交ガイドピン
３      筋交
４      プレート
５      ワイヤー
６      ボルト
７      蝶ナット
【図１】
2011241666.tif 000003
【図２】
2011241666.tif 000004
【図３】
2011241666.tif 000005
(57)【要約】【課題】無許可の車両を規制し、人力での開放及び規制の作業を、環境保全を図りながら、管理者（車）又は許可された車両のみが通行可能とする、機械化による車止めを提供する。【解決手段】規制位置に風力発電設備２及び／又は太陽光発電設備３と、この風力発電設備２及び／又は太陽光発電設備３で発電した電力で動作する開閉機能を有した車止め１を設置する。又、車止め１の動作は、無線送信機５及び手動で操作ができる機能を有する。【選択図】図１
2011241663.tif 000002
【特許請求の範囲】
【請求項１】
規制位置に、風力発電設備及び／又は太陽光発電設備と、この風力発電設備及び／又太陽光発電設備で発電した電力で動作する、開閉機能を有した車止めを設置する。
又、車止めの操作は、無線及び／又は手動操作ができる機能を有することを特徴とした、独立電源式の車止めシステム。
【発明の詳細な説明】
【技術分野】
【０００１】  本発明は、管理区域への車両通過時、環境に配慮し、かつ、省力化のニーズに応えることの出来るシステムに関するものである。
【背景技術】
【０００２】  現在の車止めは、通過しようとする管理者（車）及び許可者（車）が、車止めの開放と規制をするため、車両から降り、開錠して人力で車止めを取り外し、車両に乗車して通過、その後、再度降車して車止めを取付け施錠する、といった煩雑で時間がかかる動作が必要とされ、かつ、悪天候時の作業は、過度の負担がかかっている現状にある。
【発明の開示】
【発明が解決しようとする課題】
【０００３】  そこで、本発明は、環境保全にも応えながら、設置の利便性（簡便性）と、車両通過時の省力化のニーズに対応出来る車止めシステムとして提供すること、を主目的とする。
【課題を解決するための手段】
【０００４】  本発明は、規制位置に、車止めと風力発電設備及び／又は太陽光発電設備で、車止めを動作させる電力を供給することを特徴とする。又、車止めの操作は、無線及び／又は手動操作ができる機能を有することを特徴とする。
【発明の効果】
【０００５】  本発明によれば、車止めの開放及び規制の省力化はもちろん、あらゆる地域での電源確保が可能となるため、設置場所の制限がなく、かつ、環境保全に配慮した車止めを提供することが出来る。
【発明を実施するための形態】
【０００６】  以下、本発明の一実施例を図面に基づき説明する。
【０００７】  図１は、本発明が実施された概略構成を示す図である。同図に示すように通路６に車止め１と風力発電設備２及び／又は太陽光発電設備３が設けてある。又、通路６には車止め１の反対側に縁石ブロック４を設けてある。
【０００８】  風力発電設備２及び／又は太陽光発電設備３は、車止め１と別位置に設置しても良い。
【０００９】  風力発電設備２は、羽根２ａを備えた発電機を有し、羽根２ａの回転により、発電された電力を車止め１の各部に供給し、動作電力となるように構成されている。発電機で発電した電力は、一旦蓄電池に蓄積した後、各部に供給するようにしても良い。
【００１０】  太陽光発電設備３は、太陽電池パネル３ａを有し、この太陽電池パネル３ａにより、発電された電力を車止め１の各部に供給し、動作電力となるように構成されている。太陽電池パネル３ａで発電した電力は、一旦蓄電池に蓄積した後、各部に供給するようにしても良い。
【００１１】  無線送信機５は、通過する者が所持して車止めに接近し、無線送信機５を操作することにより車止め１が動作し、開放、規制を切り替える事が出来る。
【００１２】  以上のように、本実施形態では、風力発電設備２・太陽光発電設備３により、車止め１の必要な電力を供給するように構成されているので、環境問題に貢献できると共に、従来の、車止めの開放及び規制に伴う作業の省力化を図ることが出来る。
【図面の簡単な説明】
【００１３】
【図１】本発明の一実施例である。
【符号の説明】
【００１４】１    車止め
２    風力発電設備
３    太陽光発電設備
４    縁石ブロック
５    無線送信機
６    通路
【図１】
2011241663.tif 000003
(57)【要約】【課題】従来のトイレの便器は、場所を取らない目的からその殆どが男女兼用の小便大便兼用便器で腰掛式便座水洗トイレ据え置き型が採用されている。兼用のために無理が生じ、その機能を十分に果たしているとは言えない。たとえば男子立ち小便じ時には、身体から尿が出る位置と便器との距離が遠い場合が多くその為に目標を誤って少し食み出してしまう。飛沫が上がり床フロアーを汚染させるなどの害を生じる。本発明は、従来のトイレの便器男女兼用の大便小便兼用便器の腰掛式便座を昇降することができる・清潔を保ちやすく、身体姿勢に合わせ利便効果を高めた。【解決手段】従来の男女兼用水洗トイレ腰掛式便器の壁掛け取り付けスタンド等にモーター、電動式や手動式で昇降機能をつけたもの。【特許請求の範囲】
【請求項１】
昇降する発想の腰掛式便座水洗トイレが、昇降することにより便器を上げることができる。男子小便時に便器を上げることにより人体の尿の飛び出し口と便器が近く為ることにより尿が便器に強く当たり飛び、飛沫することを少なくし防ぐ効果がある。
【請求項２】
男子小便時に腰掛式便座水洗トイレの便器が上げることにより人体の尿の出口と便器が近くなる為に尿が便器内に納まりやすく、外れて尿が飛び出しフロアー汚染を防ぐ効果がある。
【請求項３】
昇降する発想の腰掛式便座水洗トイレは電動式・手動式・段差式便器が考えられる。電子式においては本来の便器よりも下げることが容易で、幼児が踏み台を使わずに補助便座のみで用をたすことが容易にできる。
【請求項４】
昇降する発想の腰掛式水洗トイレは電動式・手動式・段差式便器が考えられる。電子式においては本来便器よりも下げることができ、身体に合わせ変形性膝関節症等の疾患を持った高齢者が容易に座れ昇降ペダルで少し上げることにより容易に立ち上がることができヘルパー様の腰を痛めずに利用者補助が容易にできる。
【発明の詳細な説明】
【発明の詳細な説明】
【００１】本発明は、腰掛式便座水洗トイレに昇降する機能を取り付けられる様に工夫された便器が上がり下がりすることから、掃除に時間や手間がかからず衛生効果を高める為の腰掛式便座水洗トイレ及びその製造方法に関する。
【００２】従来からの水洗トイレにあっては、据え置き型である。水洗トイレは、それ以前の溜め式トイレに比べれば清潔を保もつ事ができるが、男子小便時に人体の尿の飛び出し口と便器距離が遠いことにより尿が便器に強く当たり飛び、飛沫することの防止することが出来ないことから清潔に保もつ事がまだまだ容易であるとは言えない。
【００３】従来の水洗トイレにあっては、男子小便時に人体の尿の飛び出し口と便器距離が遠いことにより尿が狙いを反れて便器から食み出してしまいことから防止することが難しく清潔に保もつ事が容易であるとは言えない。
本発明は従来の腰掛式便座水洗トイレに昇降機能を装着する。大便時・小便時の座る・立つの身体姿勢に合わせて昇降機能を使い清潔に無理なく容易に用を足すことができる。また、不快な臭いも防止できることから精神的・身体的健康を害さず病気を予防することができる。
【００４】本発明は、従来の様に固定式でなく昇降することにができるため、社会における相当範囲にわたる人の利用能率効果をたかめ社会生活の向上に貢献する事を目的とする。
(57)【要約】【課題】  本発明は、一体式の住宅基礎を三分割にして地震波を分散させ軽減させて吸収するように工夫した地震の衝撃波を半減させる住宅基礎工法を提供する。【解決手段】  地震の衝撃波を三段階に分けて吸収し、直接建物へ伝わるのを軽減するように工夫したことを特徴とする地震の衝撃波を半減させる住宅基礎工法。【選択図】図１
2011241664.tif 000002
【特許請求の範囲】
【請求項１】
地震の衝撃波を三段階に分けて吸収し、直接建物へ伝わるのを軽減するように工夫したことを特徴とする地震の衝撃波を半減させる住宅基礎工法。
【発明の詳細な説明】
【技術分野】
【０００１】  本発明は、一体式の住宅基礎を三分割にして地震波を分散させ軽減させて吸収するように工夫した地震の衝撃波を半減させる住宅基礎工法に関するものである。
【背景技術】
【０００２】  従来、住宅基礎は一体式で固定してあるため下からの突き上げる地震の衝撃波に対しては無防備であった。
それゆえ直接建物に地震の衝撃波を伝えてしまい大変不都合であった。
【発明の概要】
【発明が解決しようとする課題】
【０００３】  そのために、次のような問題点がある。
家具が倒れたりその他の物が壊れたりすることがあり大変不都合であった。
本発明は、これらの問題点を解決されるためになされたものであった。
【課題を解決するための手段】
【０００４】  従来の一体式住宅基礎を三分割に分け本体ベースの下部分になる。
四角と中央の５カ所に穴を掘り筒の外廻りに防水ゴムシートを貼って穴の中に差し入れ、筒の底にパイプ付鉄筋を入れ、生コンクリート打をする。
パイプの上に穴の開いた防震ゴムを拭きその上に芯棒は畏敬杭の廻りに玉砂利を敷き詰める。
本体ベースの中央下部分の４カ所に上部分にカバー付きスプリング、下部分に小畏敬杭が鉄棒を地中に埋め込む廻りを生コンクリートで固める。
地面を水平にならしその上に厚いクッションと薄いクッションをダブルで敷き廻りを仮枠で囲い、鉄筋をダブルで組上げ生コンクリートを流し込む。
本体ベースの上部分に畏敬仮枠を組み短いブロックにするための間切り用クッションを取り付け、生コンクリートを流し込む。
生コンクリートが乾いたら畏敬仮枠を取り外し、ブロックに制御器具を取り付け、土台を敷くときに間に防震ゴムを敷くことで、地震のときに筒の中の畏敬枠が上下する玉砂利とこすれてブレーキとなる中央の４カ所のカバー付スプリングの力で地震の衝撃波を軽減する。
以上のように構成された地震の衝撃波を半減させる住宅基礎工法である。
【発明の効果】
【０００５】  地震の衝撃波を三段階に分けて吸収して半減させるので、大きな地震のときでも慌てることなく対処できるので安心安全で快適なライフワークができる地震の衝撃波を半減させる住宅基礎工法である。
【図面の簡単な説明】
【０００６】
【図１】  本発明の側面図である。
【図２】  本発明の斜視図と一部分透視図である。
【図３】  本発明の一部分の断面図である。
【発明を実施するための形態】
【０００７】  以下、本発明の実施の形態について説明する。
本体ベース（１）の下部分の５ヶ所に穴を掘り、地中に筒（２）に防水ゴムシート貼（２Ａ）をして、筒（２）の底に芯パイプ付鉄筋（３）を入れる。
生コンクリート（５）打をする筒（２）の外側の隙間に生コンクリート（５）打をし、筒（２）を固定する穴の開いた防震ゴム（１６）と厚いクッション（９）を敷く。
その上に芯棒付畏敬丸型枠杭（６）を置く。
その中に鉄筋（４）を結束線（４Ａ）で丸く組上げて差込み生コンクリート（５）を流し込む。
筒（２）の中の芯棒付畏敬丸型枠杭（６）の廻りに玉砂利（７）を入れ敷き詰める。
本体ベース（１）の中央下部分の４カ所に上部分に自在カバー付スプリング（８Ａ）と下部分に小畏敬杭（８Ｂ）が付いた鉄棒（８）を地中に穴を掘り埋める。
自在カバー付スプリング（８Ａ）の下部分に鉄筋（４）を敷き、生コンクリート（５）打をする。
地面を水平にならし本体ベース（１）となる外側畏敬仮枠（１０）を廻りにならべて組んでいく。
厚いクッション（９）と薄いクッション（９Ａ）をダブルで敷き、その上に鉄筋（４）を結束線（４ａ）で取り付けていく。
組み終えたら全ネジボルト（１１）を鉄筋（４）に結束線（４Ａ）で取り付けていく。
取り付け終えたら生コンクリート（５）打をする。
乾いたら仮枠（１０）を取り外していく。立基礎ブロック（１９）の通り芯墨を出す。
その墨に合わせて組立下部金物（１３）をならべていく。
そこに薄いクッション（９Ａ）をならべ全ネジボルト（１１）に全ネジパイプカバー（１２）を取り付け、その上に基礎巾金物（１４）を取り付け外側畏敬仮枠（１０）をならべて取り付け組み立てていく。
立基礎ブロック（１９）の間切りになるように全ネジパイプカバー（１２）に薄いクッション（９Ａ）を貼り付ける。
鉄筋（４）を畏敬の型にして組上げ薄いクッション（９Ａ）の上に置いていく。
内側畏敬仮枠（１０Ｂ）を組立上部金物（１３ａ）で組んでいく。
組み終えたら生コンクリート（５）打をする。
乾いたら外側畏敬仮枠（１０ａ）内側畏敬仮枠（１０ｂ）を取り外す。
外し終えたら立基礎ブロック（１９）の間切り部分と底面にシコンコーキング（１５）打をする。
制御器具金物（１８）を取り付ける。
建物を建てる時に、土台と立基礎ブロック（１９）の間に防震ゴム（１６）を敷く。
ざ金とスプリング付ダブルナット（１７）で土台を固定する。
土台には大きめの穴を開け全ネジボルト（１１）との隙間を作り地震の時の上下と横揺れに対して遊びをつくり、制御器具金物（１８）で動いた土台を元の位置に戻す。
本体ベース（１）の外側に溝を作りその中に玉砂利（７）を敷き詰め横揺れの時のブレーキとする。
【符号の説明】
【０００８】    １      本体ベース
２      筒
２Ａ    防水ゴムシート貼
３      芯パイプ付鉄筋
４      鉄筋
４Ａ    結束線
５      生コンクリート
６      芯棒付畏敬丸型枠杭
７      玉砂利
８      鉄棒
８Ａ    自在カバー付スプリング
８Ｂ    小畏敬杭
９      厚いクッション
９Ａ    薄いクッション
１０    仮枠
１０Ａ  外側畏敬仮枠
１０Ｂ  内側畏敬仮枠
１１    全ネジボルト
１２    全ネジパイプカバー
１３    組立下部金物
１３Ａ  組立上部金物
１４    基礎巾金物
１５    シリコンコーキング
１６    防震ゴム
１７    ざ金とスプリング付ダブルナット
１８    制御器具金物
１８Ａ  防震ゴム
１８Ｂ  スプリング
１８Ｃ  ダブルナット
１８Ｄ  取り付け金物
１９    立基礎ブロック
【図１】
2011241664.tif 000003
【図２】
2011241664.tif 000004
【図３】
2011241664.tif 000005
(57)【要約】      （修正有）【課題】野菜の切りかすや紙類等を濡らさぬ事無く、捨てることが出来、流しの中を何時も広く使うことが出来るゴミ袋保持具の提供。【解決手段】枠体３を取り付けた支軸１と２及び支軸取り付け板５と外側支え板６を支軸取り付けネジ・ナツト９で組付けると共に、直角に曲げた流し台内側支え板１０の上側に調整用長穴を設け、下側の吸着盤取付け穴１３に吸着盤１４を取り付けて吸着盤押え棒１５で留め、支軸取り付け板５と流し台内側支え板１０とを流し台の幅に合わせて、前記調整用長穴を通して、流し台内側支え板１０に取り付け蝶ネジ１２で留める。【選択図】図４
2011241091.tif 000002
【特許請求の範囲】
【請求項１】
木または金属の棒、支軸（１）と支軸（２）に枠体（３）の板を取り付け、金属製の支軸取り付け（５）と外側支え板（６）を組み合わせる。（１）と（２）に組み合わせた（５）と（６）に支軸（１）（２）とを支軸取り付けネジ・ナット（９）で組みつけ金属製の流し台内側支え板（１０）に調整用長穴（１１）設け、下側に吸着盤取り付穴（１３）を設け、吸着盤（１４）を取り付け、吸着盤押え棒（１５）で留める。
組み付けた、支軸取付板（５）と、流し台内側支え板（１０）とを、流し台のサイズに合わせ、取り付け蝶ネジ（１２）で留め図３様にレジ袋を内側から巻き込む様にして、枠体（３）の凹部と凸部にレジ袋の手提げ部分を引っ掛ける事により、レジ袋の有効利用と簡単にゴミを捨てることが出来、支軸が自由に動くことが出来るので流し台の中は何時もスッキリする事が出来る。
【発明の詳細な説明】
【技術分野】
【０００１】本発明は、レヂ袋を有効に活用し尚且つ流し台の傍にレジ袋を、取り替え式に設置してゴミ袋として利用可能する、ゴミ袋保持具である。
【背景技術】
【０００２】  従来の方法では、流しの中に三角の水切りが置いてある。
【先行技術文献】
【０００３】
【発明の概要】
【発明が解決しようとする課題】
【０００４】  流し台の中に、調理した野菜かすを流しの中につい捨ててしまい、水浸しなり「生ゴミ」となり、環境に悪影響をおよぼす。
【課題を解決するための手段】
【０００５】  流し台の脇に開発した補助具を取り付ける事により、流しの中が広く使える。
【発明の効果】
【０００６】  流し台の脇に補助具を取り付ける事により、野菜の切りかすや紙類等を濡らさぬ事無く、捨てることが出来、流しの中を何時も広く使うことが出来る。
【図面の簡単な説明】
【０００７】
【図１】本発明の支軸部品図
【図２】本発明の取り付け部品図
【図３】本発明にレヂ袋を掛けた断面図
【図４】本発明品を、流し台に使用した状態
【発明を実施するための形態】
【０００８】本発明の形態を説明する。
（イ）木または金属で（１）と（２）に枠体（３）を取り付ける。
（ロ）金属で支軸取り付け板（５）を２ヵ所を曲げた板に、取付け穴（８）と取付けネジ（７）を設ける。
（ハ）金属で、外側支え板（６）を曲げ、取付け穴（８）と取り付けネジ（７）を設ける。
（ニ）支軸（１）と（２）を支軸取り付け板（５）を乗せて、下に外側支え板（６）を組付け、支軸取り付けネジ・ナツト（９）で組付ける。
（ホ）金属で流し台内側支え板（１０）を直角に曲げて、調整用長穴（１１）設け、下側に吸着盤取付け穴（１３）設け吸着盤（１４）を取り付ける吸着盤押え棒（１５）で留める。
（ヘ）支軸取り付け板（５）と流し台内側支え板（１０）とを流し台の幅に合わせて（５）を下にして（１０）を上に乗せ、調整用長穴（１１）を通して、取り付けネジ（１２）で留める。
（ト）枠体（３）凸部凹部にレジ袋の大きさに合わせて、内側から引っ掛ける。図３
【符号の説明】
【０００９】  １，支軸
２，支軸
３，枠体
４，枠体取り付け用ビス
５，支軸取り付け板
６，外側支え板
７，取り付けネジ
８，取付け穴
９，支軸取り付けネジ・ナツト
１０，流し台内側支え板
１１，調整用長穴
１２，取り付け蝶ネジ
１３，吸着盤取付け穴
１４，吸着盤２ケ
１５，吸着盤押え棒
【図１】
2011241091.tif 000003
【図２】
2011241091.tif 000004
【図３】
2011241091.tif 000005
【図４】
2011241091.tif 000006
(57)【要約】【課題】既製品の衣類は規格サイズがいくつかあるが、首回りや胴回りにサイズを合わせようとすると袖丈や着丈が合わなくて困ったものであった。そこで本発明は、例えばシャツを例にとって説明すれば、袖を肩先側と袖口側に分離して、肩先側の端に留め具を設けて、分離した袖口側の端の袖布を任意の場所で肩先側の留め具に結合させることによって、袖丈を無段階に伸縮できるようにするものである。【解決手段】肩先側の袖１の内部に留め具２を設けて、分離した袖口側３の袖の布を留め具２にかぶせて、留め具の顎（ストッパー）５に嵌合する部分品６を押し込んで固定し、袖丈を無段階に伸縮させるものである。【選択図】図２
2011241531.tif 000002
【特許請求の範囲】
【請求項１】
着丈や袖丈およびズボンの裾の長さを無段階に伸縮できるようにした衣類
【発明の詳細な説明】
【技術分野】
【０００１】本発明は衣類の着丈や袖丈およびズボンの裾の長さを自由に伸縮できるようにしたものである。例えばシャツを例にとって説明すると、袖を肩先側と袖口側に分離して、肩先側の端に留め具を設け、分離した袖口側の端の袖布を任意の場所で肩先側の留め具に結合させて、袖丈を自由に伸縮できるようにしたものである。
【背景技術】
【０００２】従来は衣類の着丈や袖丈およびズボンの裾の長さを自由に伸縮できるものはなかった。
【先行技術文献】
【特許文献】
【０００３】
【発明の概要】
【発明が解決しようとする課題】
【０００４】既製品の衣類は規格サイズがいくつかあるが、首回りや胴回りにサイズを合わせようとすると着丈や袖丈および裾の長さが合わなくて困ったものであった。
本発明は、この課題を解決するためになされたものである。
【課題を解決するための手段】
【０００５】衣類の着丈や袖丈およびズボンの裾の長さは個人差があるので数種類の変更が必要である。本発明は例えばシャツを例にとって説明すると、袖を肩先側と袖口側に分離して、肩先側の端に留め具を設けて、分離した袖口側の端の袖布を任意の場所で肩先側の留め具に結合することによって、袖丈を自由に伸縮できるようにしたものである。
【発明の効果】
【０００６】本発明によって、着丈や袖丈およびズボンの裾の長さを自分に適合させることができる衣類を、手軽に着用することが出来るようになった。また、シャツなどは袖口側を分離したまま結合しなければ半袖シャツとして使用でき、ズボンは半ズボンとしての着用も可能である。
【図面の簡単な説明】
【０００７】
【図１】本発明に関わるシャツなどの袖を肩先側と袖口側に分離して、肩先側の端に留め具を設けた斜面図である。
【図２】本発明に関わる留め具で、肩先側と袖口側の袖を結合する実施図である。
【発明を実施するための形態】
【０００８】以下、本発明の実施の形態について説明する。
（イ）シャツなどの袖を肩先側１と袖口側３に分離して肩先側１に留め具２を設け、そこに袖口側３の袖布を差し込んで留め具２の顎（ストッパー）５に嵌合する部分品６を押し込んで固定し、袖丈を任意の寸法に伸縮させるものである。
（ロ）肩先側１に設けた留め具２は、袖口側３の袖布を任意の場所で固定できる構造にし、袖丈を自由に伸縮できるようにするものである。
【符号の説明】
【０００９】１  シャツなどの袖の肩先側
２  肩先側の袖の内部に設けた留め具
３  分離した袖の袖口側
４  袖口側の切断面
５  留め具の顎（ストッパー）
６  留め具の顎（ストッパー）に嵌合して袖布を固定する部分品
【図１】
2011241531.tif 000003
【図２】
2011241531.tif 000004
(57)【要約】【課題】おぶい紐を使用した時のバストラインの強調と見た目の悪さを隠す事を目的とする。【解決手段】衣類の背面略中央に裾から襟首方向に略脇の下の高さまで開く様にチャックを付ける。この衣類をおぶい紐を使用した状態の上に着る。【選択図】図１
2011241524.tif 000002
【特許請求の範囲】
【請求項１】
衣類の背面略中央に裾から襟首方向に略脇の下の高さ付近まで開閉部を設け、前記開閉部分には、開閉自在の手段を備えたことを特徴とするバストラインとおぶい紐を隠す衣類。
【発明の詳細な説明】
【技術分野】
【０００１】  本製品は、バストラインとおぶい紐を使用した時の見た目の悪さを隠す衣類に関するものである。
【背景技術】
【０００２】  従来、おんぶする大人と子供を大きなショールで羽織って、バストラインを隠したり、子供と向き合う様におぶい紐を掛けたりしている。
【先行技術文献】
【０００３】
【特許文献１】特許出願番号２００３−４３６４３８
【発明の概要】
【発明が解決しようとする課題】
【０００４】  バストラインを隠そうとして、大きなショールを羽織ると、ショールが邪魔で、家事など作業が行いにくい。おんぶをしない時には、大きなショールを羽織ると違和感があり、又、羽織らなければ邪魔になる。又、ショールが要らない天候や季節もある。向き合う様におぶい紐を掛けた場合は子供の頭部がバストの前にあり、手元、足元が見えにくく、同様に作業が行いにくい。そして、おぶい紐が見えると見た目が悪い。本発明は、おんぶをしていない場合でも、一般の衣類として着用して違和感が無く、子供をおぶう場合は、バストラインをとおぶい紐を隠し、家事などの作業が行いやすく、手元や足元も良く見え、見た目の良い衣類を提供することである。
【課題を解決するための手段】
【０００５】  従って、本発明に依れば衣類の背面略中央に裾から襟首方向に略脇の下の高さ付近まで開閉部を設け、前記開閉部には開閉自在の手段を備えたことである。尚、ここに言う開閉自在の手段とは、ファスナー、又は、ボタン、又は、面ファスナー等を設け、必要に応じ閉止状態又は、開放状態を維持することを可能としたことである。
【発明の効果】
【０００６】前面からの見た目は、通常の衣類を着ている状態なので、手元、足元が見え、動きやすく、バストラインもおぶい紐も全く見えません。背面からは、子供と子供が入っているホルダーだけがファスナーの開口部から出て、裾から子供の又下までは、ファスナーが閉じるので、衣類の下に着用している衣服が見えず、見た目を損ないません。また、子供をおぶわない時、背面のファスナーを閉めたまま通常の衣類として着用する事ができます。
【図面の簡単な説明】
【０００７】
【図１】本発明のバストラインとおぶい紐を隠す衣類を示す平面図である。
【図２】本発明のバストラインとおぶい紐を隠す衣類の使用状態を示す平面図である。
【発明を実施するための形態】
【０００８】  本発明の実施形態を図面に基づいて説明すると、図１衣類１の背部の略中央に裾方向から襟首方向にかけて略脇の下の高さに達する開閉部２を設け、この開閉部２には開閉自在の手段３を備える。尚、ここに言う開閉自在の手段とは、ファスナー、又はボタン、又は面ファスナー等の部材を用いると良く、図１に置いては於いてはファスナーを用いている。又、これらの開閉自在の手段に用いる部材は縫製または、接着等によって、着衣１に設けると良い。又、上記に言う着衣とは、上着又は、シャツ等一般に着用する衣類のことである。本発明をを使用する時は、まず、背部のファスナーを上まではずし、子供をおぶった状態で衣類を身体の前で持ち、両方の袖に腕を通し、襟首部分を首に掛け、裾部分を下に延ばし、背部のファスナーをはめて、子供の略股下まで閉める。ファスナーが裾部分から子供の略股下まで閉じるので衣類の下に着用している衣服が見えず、見た目を損ないません。
【符号の説明】
【０００９】  １  衣類
２  切裂き
３  ファスナー
【図１】
2011241524.tif 000003
【図２】
2011241524.tif 000004
(57)【要約】【課題】  弁座や弁体のメンテナンスを簡単に実施することのできるレバーフロート式ドレントラップを提供する。【解決手段】  ドレンの入口１を設けた蓋体４と本体３とでケーシングを構成する。本体３の内部に中空フロート１７を上下動自在に配置する。フロート１７をレバー７によって回転支持部８と接続する。回転支持部８の側方に、レバー７と開閉弁部材５を接合する接合棒９を取り付ける。フロート１７が上下動することによって、接合棒９が回転して、その回転力を開閉弁部材５に伝達して開閉弁部材５を開閉弁することができる。  開閉弁部材５に内蔵した弁体や弁座をメンテナンスする場合は、本体３と蓋体４を分解することなく、開閉弁部材５だけを分解することによって、簡単に弁体や弁座のメンテナンスを実施することができる。【選択図】図１
2011241848.tif 000002
【特許請求の範囲】
【請求項１】
ケーシングにドレンの入口を接続し、ケーシング内にドレンの液位に応じて浮上降下するフロートをレバーを介在して連設して、ケーシング内へ流入したドレンを外部へ排出するものにおいて、ケーシングの外部に開閉弁部材を外設して、当該開閉弁部材と上記レバーを接合することで、フロートの浮上降下に伴うレバーの変位を開閉弁部材へ伝達して、開閉弁部材を開弁又は閉弁することで、ケーシング内のドレンを外部へ排出する、又は、ケーシング内の気体を外部へ排出しないことを特徴とするレバーフロート式ドレントラップ。
【発明の詳細な説明】
【技術分野】
【０００１】
本発明は、蒸気配管系や圧縮空気配管系やガス配管系に発生するドレンをフロートを用いて自動的に外部へ排出するレバーフロート式ドレントラップに関する。
【背景技術】
【０００２】
従来のレバーフロート式ドレントラップは、ケーシングで入口と弁室と出口を形成し、弁室と出口を連通する弁口を開けた弁座を弁室の下部に形成し、弁室内に支持された揺動軸の周りに回転するレバーを設け、弁室内の液位に応じて浮上降下するフロートをレバーに連結すると共に弁座に離着座して弁口を開閉する弁体をレバーに連結したものにおいて、一軸上に設けられた一対の第１及び第２弁座により弁座を形成し、第１及び第２弁座の軸上を移動して第１及び第２弁座を同時に開閉する一対の第１及び第２弁体により弁体を形成し、弁体に作用する流体圧力を対称に作用させて互いに相殺して大きな弁口を開閉できるようにしたものである。
【先行技術文献】
【特許文献】
【０００３】
【特許文献１】特開２００８−２８６２３８号公報
【発明の概要】
【発明が解決しようとする課題】
【０００４】
上記従来のレバーフロート式ドレントラップにおいては、弁座や弁体をメンテナンスする場合に、本体から蓋体を取り外してからでないとメンテナンスを実施することができず、特に大型のドレントラップでは蓋体も大型となるために、その取り外しが困難となり、従って、弁座や弁体のメンテナンスが困難となる問題点があった。
【０００５】
本発明が解決しようとする課題は、弁座や弁体のメンテナンスを簡単に実施することのできるレバーフロート式ドレントラップを提供することである。
【課題を解決するための手段】
【０００６】
上記の課題を解決するために、本発明のレバーフロート式ドレントラップは、ケーシングにドレンの入口を接続し、ケーシング内にドレンの液位に応じて浮上降下するフロートをレバーを介在して連設して、ケーシング内へ流入したドレンを外部へ排出するものにおいて、ケーシングの外部に開閉弁部材を外設して、当該開閉弁部材と上記レバーを接合することで、フロートの浮上降下に伴うレバーの変位を開閉弁部材へ伝達して、開閉弁部材を開弁又は閉弁することで、ケーシング内のドレンを外部へ排出する、又は、ケーシング内の気体を外部へ排出しないことを特徴とするものである。
【発明の効果】
【０００７】
本発明によれば、ケーシングの外部に開閉弁部材を外設したことによって、ケーシングすなわち本体と蓋体を分解することなく、外設した開閉弁部材だけを分解することで弁座や弁体のメンテナンスを簡単に実施することができるという効果を奏する。
【図面の簡単な説明】
【０００８】
【図１】本発明の実施の形態に係わるレバーフロート式ドレントラップの一部断面構成図である。
【発明を実施するための形態】
【０００９】
以下、本発明の実施の形態について、図1を参照して説明する。レバーフロート式ドレントラップは、入口１を設けた蓋体４と、内部に中空フロート１７を配置した本体３、及び、出口２を有し本体３に外設した開閉弁部材５とで構成する。
【００１０】
蓋体４に設けた入口１は、図示しないドレン発生源と接続して、本体３内にこのドレン及び気体としての蒸気あるいは圧縮空気等の混合流体を流入させる。蓋体４と本体３でケーシングを構成すると共に、本体３内部に中空フロート１７を上下動自在に配置する。図１は、本実施例のレバーフロート式ドレントラップを上面から見た状態を示しており、フロート１７は図１の奥側から手前側へ上下動することができるものである。フロート１７の中心部分にレバー７の左端を接続すると共に、レバー７の右端は上下動の回転支持部８と接続する。回転支持部８の側方に、レバー７と開閉弁部材５を接合する接合棒９を取り付ける。フロート１７が上下動することによって、接合棒９が回転して、その回転力を開閉弁部材５に伝達して開閉弁部材５を開閉弁することができるものである。
【００１１】
本体３の底部に管路１０の一端を接続して、他端を開閉弁部材５の入口１１と接続する。本実施例においては、開閉弁部材５の内部構造を図示していないが、接合棒９の回転力によって開閉弁することができるものが適しており、いわゆるボールバルブが適する。
【００１２】
入口１からドレンと気体の混合流体が本体３内に流入してきて水位が上昇するに連れてフロート１７も上昇して、接合棒９を回転させる。フロート１７が所定の位置まで上昇すると、開閉弁部材５が開弁して、本体３内のドレンが管路１０と開閉弁部材５の出口２から外部へ排出される。
【００１３】
本体３内のドレンが排出されるに連れて、フロート１７は降下して、接合棒９を反対方向に回転させ、フロート１７が所定の位置まで降下すると開閉弁部材５が閉弁して、本体３内の蒸気や圧縮空気等の気体が外部に排出されることを防止する。
【００１４】
開閉弁部材５に内蔵した弁体や弁座をメンテナンスする場合は、本体３と蓋体４を分解することなく、開閉弁部材５だけを分解することによって、簡単に弁体や弁座のメンテナンスを実施することができる。
【産業上の利用可能性】
【００１５】
本発明は、蒸気配管系や圧縮空気配管系やガス配管系に発生するドレンをフロートを用いて自動的に排出するレバーフロート式ドレントラップに利用することができる。
【符号の説明】
【００１６】
１ 入口
２ 出口
３ 本体
４ 蓋体
７ レバー
８ 回転支持部
９ 接合棒
１０ 管路
１７ フロート
【図１】
2011241848.tif 000003
(57)【要約】      （修正有）【課題】新たな食味を有するたこ焼き及びその製造方法並びに、たこ焼き用のタレを提供する。【解決手段】小麦粉を主原料とし、たこ、もずく、野菜、魚介類等を混合させた具を入れることにより構成したことを特徴とするたこ焼き及びその製造方法および、ポン酢に破砕してゲル状としたもずくと細かくカットしたもずくを加えたことを特徴とするたこ焼き用のタレ。【選択図】なし【特許請求の範囲】
【請求項１】
小麦粉を主原料とし、たこ、もずく、野菜、魚介類等を混合させた具を入れることにより構成したことを特徴とするたこ焼き。
【請求項２】
小麦粉、玉子、調味料等を水に溶かし混ぜ合わした生地を、焙焼機の窪みの中に入れ、続いて、野菜、たこ、もずくを生地の中に入れて、その後、焙焼機の平部により生地及び具を圧縮・加熱して製造することを特徴とするたこ焼き製造方法。
【請求項３】
ポン酢に破砕してゲル状としたもずくと細かくカットしたもずくを加えたことを特徴とするたこ焼き用のタレ。
【請求項４】
前記のポン酢はシークヮーサーが加味されていることを特徴とする請求項３に記載のたこ焼き用のタレ。
【発明の詳細な説明】
【技術分野】
【０００１】
本発明は、たこ焼き及びその製造方法及びたこ焼き用のタレに関するものである。
【背景技術】
【０００２】
従来のたこ焼きは、小麦粉を主原料とした生地に、たこ、野菜、魚介類等を混合させた具材入れた構成となっていた。
【０００３】
従来のたこ焼きの製造方法として特開２０００−２０１６５５号公報などが開示されている。
【先行技術文献】
【特許文献】
【０００４】
【特許文献１】特開２０００−２０１６５５号公報
【発明の概要】
【発明が解決しようとする課題】
【０００５】
解決しようとする問題点は、従来のたこ焼きではたこを主体とした食味にあまり変化がなかった。そこで本発明では、たこ焼きの新たな食味を提供することを課題とする。
【課題を解決するための手段】
【０００６】
本発明の請求項１は、小麦粉を主原料とし、たこ、もずく、野菜、魚介類等を混合させた具を入れることにより構成したことを特徴とするたこ焼きである。
【０００７】
魚介類とは例えば乾燥小エビなどが使用できる。もずくは３〜5センチにカットして使用するとよい。
【０００８】
本発明の請求項２は小麦粉、玉子、調味料等を水に溶かし混ぜ合わした生地を、焙焼機の窪みの中に入れ、続いて、野菜、たこ、もずくを生地の中に入れて、その後、焙焼機の平部により生地及び具を圧縮・加熱して製造することを特徴とするたこ焼き製造方法である。
【０００９】
本発明の請求項３はポン酢に破砕してゲル状としたもずくと細かくカットしたもずくを加えたことを特徴とするたこ焼き用のタレである。
【００１０】
もずくは湯通ししたものを使用するとよい。またはゲル状のもずくはミキサーを用いて破砕したものでもよい。カットしたもずくは5ミリ〜30ミリ程度がよい。
【００１１】
本発明の請求項４は前記のポン酢はシークヮーサーが加味されていることを特徴とする請求項３に記載のたこ焼き用のタレである。
【００１２】
シークヮーサーはポン酢に対して１％〜３０％程度がよい。
【発明の効果】
【００１３】
本発明は、以下の効果がある。
（１）もずくの風味を加味した新しいたこ焼きを提供できる。
（２）新しい触感のたこ焼きを提供できる。
（３）沖縄らしさのあるたこ焼きを提供できる。
（４）もずくを用いたので健康によいたこ焼きを提供できる。
（５）もずくとポン酢を使ったので、ヘルシーでダイエット効果が期待できる。
（６）今までにない触感のたこ焼きのタレを提供できる。
（７）ゲル状のもずくを使用することによって片栗粉を使用せずにとろみを出すことができる。
【発明を実施するための形態】
【００１４】
本発明のたこ焼きは、以下のような手順で製造できる。
（１）小麦粉に水、牛乳、卵、塩、だしを適量混ぜて生地を作る。。
（２）具材はもずくを３〜５センチにカットし、たこを３〜４センチにカットし、ねぎは３〜５ミリにカットする。
（３）その後生地を焼き型に入れ、生地の中に具材を入れる。もずくの量はたこ焼き１個に対して５％〜３０％くらいが好ましい。
（４）焼き型を過熱して焼き上げる。
【００１５】
以上のように焼き上げたたこ焼きはもずくの風味をもった独特のたこ焼きになりました。次にたこ焼きのタレについて、以下の手順で製造できる。
（１）もずくをミキサーに掛けて破砕し、ゲル状のもずくを作る。
（２）もずくを１センチにカットし、カットもずくを作る。
（３）ポン酢１００ｍｌとゲル状もずく大さじ３とカットもずく大さじ１０を混ぜ合わせる。
（４）出来上がったタレをたこ焼きにかけて食べる。。
【００１６】
以上のように製造したたこ焼きは、もずくの風味が活かされ独特の味と触感が楽しめる今までにない新しい触感のたこ焼きになった。